(57)【要約】【課題】機器本体の操作が機器本体から離れていても、安全に加熱制御が行える加熱調理機器を提供することを目的とする。【解決手段】機器本体１２へ操作信号を発する遠隔操作部１と、遠隔操作部１からの出力信号を受信する信号受信部２と、信号受信部２の信号を受けて加熱動作させる制御部５と、機器本体１２の加熱状態を表示する状態表示部７とを備えたものであり、遠隔操作部１から発される操作信号が信号受信部２に届き、機器本体１２の加熱動作を行い、使用者は状態表示部７に表示される加熱状態の情報により安全に加熱制御が行える。【選択図】図１
2005174789.tif 000002
【特許請求の範囲】
【請求項１】
機器本体へ操作信号を発する遠隔操作部と、前記遠隔操作部からの出力信号を受信する信号受信部と、前記信号受信部の信号を受けて加熱動作させる制御部と、前記機器本体の加熱状態を表示する状態表示部とを備えた加熱調理機器。
【請求項２】
使用者が機器本体へ直接操作信号を入力する操作表示部を備えた請求項１に記載の加熱調理機器。
【請求項３】
機器本体の加熱状態を表示する状態表示部は、機器本体に内蔵または機器本体外に設けた請求項１または２に記載の加熱調理機器。
【請求項４】
機器本体へ操作信号を発する遠隔操作部と、前記遠隔操作部との間で信号を送受信する信号送受信部と、使用者が機器本体へ直接操作信号を入力する操作表示部と、機器本体の加熱状態を監視する加熱監視部と、前記信号送受信部または前記操作表示部の操作信号を受けて加熱動作させるとともに前記加熱監視部から検出される温度情報を少なくとも前記操作表示部または遠隔操作部のいずれかに信号出力する制御部とを備えた加熱調理機器。
【請求項５】
加熱監視部は、機器本体への操作信号の有無と連動して収納位置および監視位置間を移動する請求項４に記載の加熱調理機器。
【請求項６】
遠隔操作部からの信号の伝送、状態表示部と制御部との信号の伝送、および加熱監視部と制御部との信号の伝送を、有線方式または無線方式とした請求項１〜５のいずれか１項に記載の加熱調理機器。
【請求項７】
制御部は、操作表示部からの操作信号による加熱動作中、遠隔操作部からの操作信号を受け付けないようにした請求項２〜６のいずれか１項に記載の加熱調理機器。
【請求項８】
制御部は、加熱監視部にて所定の温度を越える値を検出すると、加熱動作を停止させるようにした請求項４〜７のいずれか１項に記載の加熱調理機器。
【請求項９】
制御部は、加熱監視部にて所定の温度を越える値を検出すると、加熱動作を停止させると同時に、遠隔操作部からの操作信号を受け付けないようにした請求項４〜７のいずれか１項に記載の加熱調理機器。
【請求項１０】
加熱監視部は、熱検知センサーで構成した請求項４〜９のいずれか１項に記載の加熱調理機器。
【請求項１１】
加熱監視部は、熱検知センサーおよび小型カメラで構成した請求項４〜９のいずれか１項に記載の加熱調理機器。
【請求項１２】
加熱監視部は、収納位置および監視位置間の移動時にクリーニングして付着物を除去するようにした請求項５〜１１のいずれか１項に記載の加熱調理機器。
【請求項１３】
遠隔操作部は、操作表示部と兼ねるとともに機器本体から着脱可能な構成とした請求項２〜６、８〜１２のいずれか１項に記載の加熱調理機器。
【発明の詳細な説明】
【技術分野】
【０００１】
本発明は、遠隔操作が可能な電磁誘導方式などの加熱調理機器に関するものである。
【背景技術】
【０００２】
近年、熱源を電力、都市ガスおよびＬＰガスとする加熱調理機器の火力コントロールをマイコン、ＩＣなどを利用した電子制御で行う機器が一般化してきている。
【０００３】
中でも、電磁誘導の原理を利用した加熱調理機器が、火を使用しないことから安全面で評価され、今後も広範に普及していくものと考えられている。また、電磁誘導方式の加熱調理機器では、その安全性と操作性とが着目され、操作部の位置やデザインなど、操作部の位置や方式によっては、操作性が大きく影響するため、使用者の視点を重視した製品が多く提案されてきている（例えば、特許文献１参照）。
【０００４】
図４は、特許文献１に記載された従来の加熱調理機器を示すもので、図に示すように、リモコン２１は、送信手段２２、操作部２３および報知手段２４から構成され、リモコン２１により操作される機器本体２６は、受信手段２５を有するものである。
【０００５】
すなわち、リモコン２１の操作部２３へ操作入力された操作信号を、送信手段２２を通じて機器本体２６の受信手段２５が受信し、加熱動作を行う。そして、加熱動作が開始された所定時間後に、使用者に注意を促す報知をリモコン２１内の報知手段２４によって行われるものである。
【特許文献１】特開平６−４６４７６号公報
【発明の開示】
【発明が解決しようとする課題】
【０００６】
しかしながら、前記従来の加熱調理機器では、機器本体２６を遠隔操作で動作させ、使用者に対する注意喚起のために、機器本体２６を動作させた所定時間後に報知手段２４により報知を行うのみで、被加熱対象物の加熱状態を使用者が知るには機器本体２６のすぐ近傍まで行かなければならないという課題を有していた。
【０００７】
本発明は、前記従来の課題を解決するもので、機器本体の操作が機器本体から離れていても、安全に加熱制御が行える加熱調理機器を提供することを目的とする。
【課題を解決するための手段】
【０００８】
前記従来の課題を解決するために、本発明の加熱調理機器は、機器本体へ操作信号を発する遠隔操作部と、前記遠隔操作部からの出力信号を受信する信号受信部と、前記信号受信部の信号を受けて加熱動作させる制御部と、前記機器本体の加熱状態を表示する状態表示部とを備えたものである。
【０００９】
これによって、遠隔操作部から発される操作信号が信号受信部に届き、機器本体の加熱動作を行い、使用者は状態表示部に表示される加熱状態の情報により安全に加熱制御が行える。
【００１０】
また、本発明の加熱調理機器は、遠隔操作部および信号送受信部と、使用者が機器本体へ直接操作信号を入力する操作表示部と、機器本体の加熱状態を監視する加熱監視部と、前記信号送受信部または前記操作表示部の操作信号を受けて加熱動作させるとともに前記加熱監視部から検出される温度情報を少なくとも前記操作表示部または遠隔操作部のいずれかに信号出力する制御部とを備えたものである。
【００１１】
これによって、使用者は加熱監視部から検出される被加熱対象物の温度情報を少なくとも操作表示部または遠隔操作部のいずれかにおいて知ることができ、加熱状態に応じて加熱制御を行うことができる。
【発明の効果】
【００１２】
本発明の加熱調理機器は、遠隔操作による加熱状態の情報により使用者は加熱状態を知りながら安全に加熱制御が行えるものである。
【発明を実施するための最良の形態】
【００１３】
第１の発明は、機器本体へ操作信号を発する遠隔操作部と、前記遠隔操作部からの出力信号を受信する信号受信部と、前記信号受信部の信号を受けて加熱動作させる制御部と、前記機器本体の加熱状態を表示する状態表示部とを備えた加熱調理機器とすることにより、遠隔操作部から発される操作信号が信号受信部に届き、機器本体の加熱動作を行い、使用者は状態表示部に表示される加熱状態の情報により安全に加熱制御が行える。
【００１４】
第２の発明は、特に、第１の発明において、使用者が機器本体へ直接操作信号を入力する操作表示部を備えたことにより、使用者は遠隔操作部と操作表示部から機器本体へ操作信号を入力することができ、使い勝手のよい加熱調理機器となる。
【００１５】
第３の発明は、特に、第１または第２の発明において、機器本体の加熱状態を表示する状態表示部は、機器本体に内蔵または機器本体外に設けたことにより、機器本体の設置状態に合わせて最も良い位置を選択でき、機器本体から離れた位置から視認することが容易にできる。
【００１６】
第４の発明は、機器本体へ操作信号を発する遠隔操作部と、前記遠隔操作部との間で信号を送受信する信号送受信部と、使用者が機器本体へ直接操作信号を入力する操作表示部と、機器本体の加熱状態を監視する加熱監視部と、前記信号送受信部または前記操作表示部の操作信号を受けて加熱動作させるとともに前記加熱監視部から検出される温度情報を少なくとも前記操作表示部または遠隔操作部のいずれかに信号出力する制御部とを備えた加熱調理機器とすることにより、使用者は加熱監視部から検出される被加熱対象物の温度情報を少なくとも操作表示部または遠隔操作部のいずれかにおいて知ることができ、加熱状態に応じて加熱制御を行うことができる。
【００１７】
第５の発明は、特に、第４の発明において、加熱監視部は、機器本体への操作信号の有無と連動して収納位置および監視位置間を移動することにより、使用しない際は所定の収納位置に格納され、使用時のみ収納位置より監視位置に現れるようにでき、加熱監視部に塵埃などの汚れが付着することを低減させることができる。
【００１８】
第６の発明は、特に、第１〜第５のいずれか１つの発明において、遠隔操作部からの信号の伝送、状態表示部と制御部との信号の伝送、および加熱監視部と制御部との信号の伝送を、有線方式または無線方式としたことにより、機器本体を設置する環境や使い勝手を選択することができる。
【００１９】
第７の発明は、特に、第２〜第６のいずれか１つの発明において、制御部は、操作表示部からの操作信号による加熱動作中、遠隔操作部からの操作信号を受け付けないようにしたことにより、無用な使用上の混乱を避けることができる。
【００２０】
第８の発明は、特に、第４〜第６のいずれか１つの発明において、制御部は、加熱監視部にて所定の温度を越える値を検出すると、加熱動作を停止させるようにしたことにより、異常な加熱状態に対処することができる。
【００２１】
第９の発明は、特に、第４〜第７のいずれか１つの発明において、制御部は、加熱監視部にて所定の温度を越える値を検出すると、加熱動作を停止させると同時に、遠隔操作部からの操作信号を受け付けないようにしたことにより、異常な加熱状態に対して、より安全に対処することができる。
【００２２】
第１０の発明は、特に、第４〜第９のいずれか１つの発明において、加熱監視部は、熱検知センサーで構成したことにより、被加熱対象物の加熱状態を正しく知ることができる。
【００２３】
第１１の発明は、特に、第４〜第９のいずれか１つの発明において、加熱監視部は、熱検知センサーおよび小型カメラで構成したことにより、加熱状態を２つの情報により認識することができ、使用者にとっては加熱状態を詳細に知ることができる。
【００２４】
第１２の発明は、特に、第５〜第１１のいずれか１つの発明において、加熱監視部は、収納位置および監視位置間の移動時にクリーニングして付着物を除去するようにしたことにより、機器本体の使用開始と終了の際に、収納位置から現れたり格納されたりするが、収納位置から現れる際か、あるいは格納される際の一方もしくは両方で、加熱監視部をクリーニングし、付着物を除去して加熱監視部の感度を良好な状態に維持することができる。
【００２５】
第１３の発明は、特に、第２〜第６、第８〜第１２のいずれか１つの発明において、遠隔操作部は、操作表示部と兼ねるとともに機器本体から着脱可能な構成としたことにより、遠隔操作と機器本体の直接操作が同一の操作部にて使用が可能となり、構成を簡易化することができる。
【００２６】
以下、本発明の実施の形態について、図面を参照しながら説明する。なお、この実施の形態によって本発明が限定されるものではない。
【００２７】
（実施の形態１）
図１は、本発明の実施の形態１における加熱調理機器を示すものである。
【００２８】
図に示すように、加熱調理機器は、操作信号を発する遠隔操作部１と、前記遠隔操作部１からの出力信号を受信する信号受信部２と、前記信号受信部２の信号を受けて加熱動作させる制御部５と、使用者が直接操作信号を入力する操作表示部６と、加熱状態を表示する状態表示部７とを備えたものである。前記制御部５は、信号受信部２からの信号を受けて加熱動作を行わせる第１の制御モード３と、操作表示部６からの信号を受けて加熱動作を行わせる第２の制御モード４とを有しており、さらに、操作表示部６からの操作信号による加熱動作中、遠隔操作部１からの操作信号を受け付けないようにして、無用な使用上の混乱を避けるようにしている。そして、前記した遠隔操作部１はリモコンを構成し、信号受信部２、制御部５、操作表示部６および状態表示部７は、リモコンにより操作される機器本体１２側に装備されているものである。
【００２９】
次に、前記加熱調理機器の動作について説明する。
【００３０】
遠隔操作部１を操作することにより、操作信号が信号受信部２へ伝送され、受信した前記信号により信号受信部２は、第１の制御モード３を作動させ、加熱動作を行う。また、使用者が直接に機器本体１２への操作入力をする操作表示部６の操作を行った場合は、操作表示部６からの信号を受けて加熱動作させる第２の制御モード４により、加熱動作を行う。このようにして、直接または離れていても機器本体１２の操作が可能となっている。そして、操作表示部６とは別に、機器本体１２の加熱状態を表示する状態表示部７を設けていることで、機器本体１２から離れていても、状態表示部７が表示する加熱状態を視認することができ、使用者は遠隔操作部１を通じて被加熱対象物（図示せず）の加熱をその状態に応じて制御することができる。
【００３１】
ここで、状態表示部７を機器本体１２から離れていても視認し易い位置、例えば、機器本体１２の正面位置や側面位置で、内蔵（図示せず）または機器本体１２外に、有線方式または無線方式にて設置することで、使用者の使いやすい形態の選択を可能としている。
【００３２】
なお、本実施の形態では、操作表示部６と遠隔操作部１とは別であるが、遠隔操作部１は、操作表示部６と兼ねるとともに機器本体１２から着脱可能な構成とすることにより、遠隔操作と機器本体１２の直接操作が同一の操作部にて使用が可能となり、構成を簡易化することができる。なお、この場合は、操作表示部６からの操作信号による加熱動作中、遠隔操作部１からの操作信号を受け付けないようにする必要はなくなる。
【００３３】
（実施の形態２）
図２は、本発明の実施の形態２における加熱調理機器を示すものである。実施の形態１と同一要素については同一符号を付して説明を省略する。
【００３４】
本実施の形態においては、図に示すように、実施の形態１の状態表示部７に代えて、機器本体１２の加熱状態を監視する加熱監視部９を備え、制御部５は、加熱監視部９から検出される温度情報を少なくとも操作表示部６または遠隔操作部１のいずれかに信号出力する第３の制御モード８を有するものである。また、遠隔操作部１との間で信号を送受信する信号送受信部１０を備え、遠隔操作部１と信号送受信部１０間の双方向の信号処理を制御部５の第１の制御モード３が行うものである。
【００３５】
前記構成により、本実施の形態における加熱調理機器は、加熱監視部９から検出される温度情報を少なくとも操作表示部６または遠隔操作部１のいずれかに信号出力するため、使用者は、機器本体１２から離れていても、被加熱対象物（図示せず）の加熱状態を知ることができ、第１の制御モード３の情報を確認しながら、遠隔操作部１を通じて加熱を好みに応じて制御することができる。なお、加熱監視部９から検出される温度情報を操作表示部６と遠隔操作部１の両者に信号出力すれば、当然のことながらより使い勝手がよくなるものである。
【００３６】
また、本実施の形態においては、加熱監視部９にて所定の値を超える温度が検出されれば、加熱動作を第３の制御モード８により停止させ、安全を確保するようにしている。
【００３７】
また、加熱監視部９にて所定の値を超える温度が検出されれば、第３の制御モード８により、加熱動作を停止させると同時に、遠隔操作部１からの操作信号を受け付けないことで、より安全性を高めるようにすることができる。
【００３８】
また、遠隔操作部１を、機器本体１２の操作表示部６と兼ねるようにし、機器本体１２から着脱可能な構成とすることにより、遠隔操作と機器本体１２の直接操作を兼用の操作部にて行うことが可能となり、構成を簡易化することができる。また、２つの操作部からの操作信号を同時に使用し、機器本体１２がいずれの操作信号を認識するかといった動作上の不安要素を排除することができる。
【００３９】
（実施の形態３）
図３は、本発明の実施の形態３における加熱調理機器を示すものである。実施の形態１、２と同一要素については同一符号を付して説明を省略する。
【００４０】
本実施の形態においては、図に示すように、遠隔操作部１と信号送受信部１０との間で、双方向の信号処理を制御部５の第１の制御モード３が行い、使用者が直接に機器本体１２の操作を入力する操作表示部６への操作を行った場合は、操作表示部６からの信号を受けて加熱動作させる第２の制御モード４により、機器本体１２の加熱動作を行う。
【００４１】
そして、機器本体１２の加熱状態を監視する加熱監視部９から検出される温度情報を少なくとも操作表示部６または遠隔操作部１のいずれかに信号出力する第３の制御モード８により、使用者は機器本体１２から離れていても、被加熱対象物（図示せず）の加熱動作状態を知ることができる。
【００４２】
また、機器本体１２の加熱状態を監視する加熱監視部９は、機器本体１２の操作信号と連動し、使用しない場合は所定の収納位置（図示せず）に格納され、使用時のみ収納位置より現れて加熱の監視位置へ移動を行うよう第４の制御モード１１により制御されるものであり、常に露出することによる加熱監視部９への塵埃などの汚れ付着を低減させている。
【００４３】
しかも、収納位置および監視位置間の移動時に加熱監視部９は、クリーニングして付着物を除去するようにすることにより、機器本体１２の使用開始と終了の際に、すなわち、収納位置から現れる際か、あるいは格納される際の一方もしくは両方で、加熱監視部９をクリーニングし、付着物を除去して加熱監視部９の感度を良好な状態に維持している。これは、加熱監視部９の移動途中にセルフクリーニング部（図示せず）を設けることにより容易に実現できる。
【００４４】
また、加熱監視部９を熱検知センサー（図示せず）で構成することにより、被加熱対象物の加熱状態を数値で正しく知ることができる。
【００４５】
また、加熱監視部９を熱検知センサーおよび小型カメラ（図示せず）で構成することにより、加熱状態を２つの情報手段により使用者が認識することができ、使用者にとっては加熱状態を詳細に知ることができるため、加熱の加減制御を的確に行うことができる。
【００４６】
また、実施の形態１、２においても同様であるが、操作信号を発する遠隔操作部１と信号送受信部１０とを有線方式または無線方式で電話回線や専用線によるネット接続を利用することで、例えば、パーソナルコンピューターや携帯電話を含む移動体通信機器との接続が可能となり、パーソナルコンピューターを使った場合、比較的大きな画面で状態を知ることができ、新たな遠隔操作部１の代用として使用でき、利便性を追求することができる。さらに、本実施の形態および実施の形態２においても、遠隔操作部１からの信号の伝送、加熱監視部９と制御部５との信号の伝送を、有線方式または無線方式とすることにより、機器本体１２を設置する環境や使い勝手を選択することができる。
【００４７】
また、第２の制御モード４が実行中または実行開始直後の所定時間内は、第１の制御モード３からの操作信号を受け付けない設定とした制御部５とすることにより、子供のいたずらなどによる無用な使用上の混乱を避けることができる。
【００４８】
さらに、本実施の形態でも、遠隔操作部１は、操作表示部６と兼ねるとともに機器本体１２から着脱可能な構成とすることができる。
【産業上の利用可能性】
【００４９】
以上のように、本発明にかかる加熱調理機器は、遠隔操作による加熱状態の情報により使用者は加熱状態を知りながら安全に加熱制御が行えるため、熱源が電力、都市ガスおよびＬＰガスに関わらず各種の加熱調理機器全般に適用できる。
【図面の簡単な説明】
【００５０】
【図１】本発明の実施の形態１における加熱調理機器の構成を示すブロック図
【図２】本発明の実施の形態２における加熱調理機器の構成を示すブロック図
【図３】本発明の実施の形態３における加熱調理機器の構成を示すブロック図
【図４】従来の加熱調理機器の構成を示すブロック図
【符号の説明】
【００５１】
１  遠隔操作部
２  信号受信部
５  制御部
６  操作表示部
７  状態表示部
９  加熱監視部
１０  信号送受信部
１２  機器本体
【図１】
2005174789.tif 000003
【図２】
2005174789.tif 000004
【図３】
2005174789.tif 000005
【図４】
2005174789.tif 000006